(57)【特許請求の範囲】
【請求項１】
円柱形状で中心部は中空を有するブロック形状の成形ろ材と、この成形ろ材の両端を接着剤により接着されて封止する前キャップおよび後キャップとを備え、前キャップは成形ろ材の中空部と同一中心軸に位置し円状接着面と直交する円筒管が設けられ、また後キャップには成形ろ材の中空部と同一中心軸に位置し円状接着面と直交する、径の大きい十字ガイドリブとその径の大きい十字ガイドリブに連続して形成された径の小さい十字ガイドリブからなる２段の十字ガイドリブが設けられ、かつ前キャップの円筒管内壁に後キャップの前記径の小さい十字ガイドリブが嵌入され、前キャップの円筒管端部に後キャップの前記径の大きい十字ガイドリブの端部が当たり高さ方向の規制をすることを特徴とする浄水器のろ過カートリッジ。
【請求項２】
前記前キャップの円筒管外壁に複数のガイドリブを設け、前記後キャップの十字ガイドリブとともに成形ろ材の中空部壁をガイドしていることを特徴とする請求項１記載の浄水器のろ過カートリッジ。
【請求項３】
前記前キャップ及び後キャップの接着部内面には複数の環状リブが設けられ環状リブの先端と根元にはＲを有し、環状リブの幅と高さは１：１の比率とし、その配列に関してはリブの幅と溝の幅は１：１〜１．５の比率で配列していることを特徴とする請求項１または２記載の浄水器のろ過カートリッジ。
【請求項４】
カートリッジが浄水吐水口及び原水ストレート吐水口、原水シャワー吐水口と直交した状態で位置することを特徴とする請求項１から３の何れかに記載の浄水器のろ過カートリッジ。
【発明の詳細な説明】
【０００１】
【発明の属する技術分野】
本発明は、浄水器のろ過カートリッジに関するものである。
【０００２】
【従来の技術】
近年、飲用水への関心が高まり、各家庭や職場においても水道水などを浄化する浄水器の普及が著しい。特に水道栓等に直結して用いる直結型の浄水器は、小型、軽量で手軽に取り付けて利用することができるため、広く用いられるようになった。この直結型の浄水器は、水道栓の蛇口をひねる感覚で切換装置を切り換えることにより、吐水する水の状態を切り換えることができるもので、用途に応じ原水をそのままストレートで吐水するか、シャワーにして吐水するか、浄水にして吐水するかを簡単に切り換えることができる。
【０００３】
以下図面を参照して従来の直結型の浄水器について説明する。図６は従来の浄水器の外観斜視図、図７は図６に示す従来の浄水器の縦断面図、図８は図６に示す従来の浄水器の横断面図をそれぞれ示す。
【０００４】
図６、図７、図８において、１は水道栓、９は水道栓１と浄水器とを接続する継手パイプ、２は固定ナットである。６は浄水器の下ケース、７は浄水器の上ケース、８は水道栓１から流入する原水を浄水にするろ過カートリッジである。４は原水のストレート吐出とシャワー吐出を行う吐出口キャップで、吐出口キャップ４にはストレート吐出口２７、シャワー吐出口３０が設けられている。また、５は浄水のストレート吐出部である。３は原水のストレート吐出、シャワー吐出、浄水の吐出など一連の吐出、止水状態を切り換える操作レバーである。操作レバー３が原水のストレート吐出、シャワー吐出を行う位置にあるときは、水は矢印ＡからＦに流れ、浄水吐出を行う位置にあるときは、水は矢印ＡからＦに流れ、浄水吐出を行う位置にあるときは矢印ＡからＢ，Ｃ，Ｄ，Ｅと流れる。
【０００５】
次に図７、図８を参照して上記浄水器の内部の詳細について説明する。図７、図８において４０は切換ケースである。切換ケース４０には、３つの給水口４０ｂと、後述する原水のストレート用流入口１６およびシャワー用流入口１７と、後述する連結管１５への流入口周囲に設けられた円筒腔壁４０ａの中に嵌入されている。４１ａは回転弁棒４１に形成された突起カム、４１ｂは回転弁棒４１の外周に形成された水路溝で、突起カム４１ａは水路溝４１ｂ内に設けられている。１３は各水路溝４１ｂを分離する合成ゴム製のＯリングである。４２は継手パイプ９を通って流入した原水からゴミ等を除去するフィルタープレート、４２ａはフィルタープレート４２に形成された多数のフィルター孔、４３は十字状リブ付き弁棒、４４はＤリングである。十字状リブ付き弁棒４３はストレート、シャワー、浄水の３モードの場合３本設けられるとともに、その上端には支軸が形成されてそれぞれがフィルター孔４２ａの１つに挿入され、同時にその十字状リブと下端が給水口４０ｂ内に挿入されている。すなわちこれらのフィルター孔４２ａは本来のゴミ等の除去作用の他、支軸の案内も兼ねている。そして十字状リブ付き弁棒４３は上動されるとＤリング４４が給水口４０ｂを解放して十字リブと給水口４０ｂの間が通水可能になるが、下動されるとＤリング４４が給水口４０ｂを閉止する。１５は連結管で、操作レバー３で浄水吐出を選択したときろ過カートリッジ８に通水するもので、浄水路の一部を構成する。４５は十字状リブ付き弁棒４３を給水口４０ｂ側に付勢する圧縮バネである。
【０００６】
十字状リブ付き弁棒４３は回転弁棒４１の水路溝４１ｂと整合した位置に配置されており、突起カム４１ａが操作レバー３を回動して十字リブ付き弁棒４３の１つを押し上げると、給水口４０ｂが解放される。突起カム４１ａは回転弁棒４１の水路溝４１ｂ内に設定角度を変えて設けられているから、回動することによってそれぞれ別々に十字リブ付き弁棒４３を押し上げることができる。ここで設定角度を同一にすれば同時に２つ以上の十字リブ付き弁棒４３を押し上げることもできる。さらに水路溝４１ｂは、左の１つが連結管１５に連通され、中と右の２つが原水のストレート用流入口１６およびシャワー用流入口１７の位置に設けられている。このため、十字状リブ付き弁棒４３が操作レバー３によって回動されると、突起カム４１ａの押し上げにより給水口４０ｂのどれかが解放され、水路溝４１ｂのどれかを介してさらに連結管１５、原水のストレート用流入口１６、シャワー用流入口１７のいずれかと接続されることとなる。
【０００７】
４７は浄水用切り換えスイッチ、４６は浄水吐出を行うシャワー口であり、浄水吐出部５には図示しないストレート吐出を行う口がシャワー口４６の前側に設けられている。浄水用切り換えスイッチ４７は回転弁棒４１によって切り換えられ、シャワー口４６とストレート口が適宜切り換えられる。連結管１５はろ過カートリッジ８内に接続され、カートリッジケース４８及び天面仕切板４９、底面仕切板５１に挟まれ圧縮されたフェルト５０と活性炭層１９を通り、さらに中空糸膜２１を通って浄水路の浄水用切り換えスイッチ４７に導かれ、シャワー口４６もしくはストレート口から吐出される。スイッチの切り換えによってストレート用流入口１６、シャワー用流入口１７に選択的に通水される原水は、切換ケース４０の下面に設けられたストレート吐水口２７とシャワー用吐水口３０のどちらかから別々に吐出される。２７は吐出口キャップ４に設けられた円形状のストレート吐出口、３０は同様に吐出口キャップ４に設けられたリング形状のシャワー吐出口である。ストレート吐出口２７は吐出口キャップ４の中央に同心的に立設された円筒部２８から形成され、ストレート用流入口１６と嵌合される。この嵌合によってストレート用流路が形成される。
【０００８】
次にこの直結型の従来の浄水器を用いる場合の動作について説明する。まず原水をストレートに吐出させたいときは、操作レバー３を回動して３つの十字状リブ付き弁棒４３のうちの中央の十字状リブ付き弁棒４３を突起カム４１ａで持ち上げる。このとき他の２つの十字状リブ付き弁棒４３は閉鎖されたままである。これによって、水道栓１から流入した原水は継手パイプ９を通って、中央の給水口４０ｂに入り、十字状リブ付き弁棒４３の十字状リブに案内されながら、回転弁棒４１の外周の水路溝４１ｂを介して切換ケース４０のストレート用流入口１６を通って、吐出口キャップ４のストレート吐出口２７から吐出される。
【０００９】
また原水をシャワーで吐出させたいときは、操作レバー３を回動して３つの十字状リブ付き弁棒４３のうちの右の十字状リブ付弁棒４３を突起カム４１ａで持ち上げる。このとき他の２つの十字状リブ付き弁棒４３は圧縮バネ４５によって閉鎖されたままである。水道栓１から流入した原水は継手パイプ９を通って、右の給水口４０ｂに入り、十字状リブ付き弁棒４３の十字状リブに案内されながら、回転弁棒４１の一番右の水路溝４１ｄを介して切換ケース４０下面のシャワー用流入口１７を通って、シャワー用水室３１の中に入りシャワー吐出口３０のシャワー孔２３から吐出される。
【００１０】
次に浄水を吐出させたいときには、３つの十字状リブ付き弁棒４３のうちの一番左の十字状リブ付き弁棒４３を突起カム４１ａで持ち上げる。このとき他の２つの十字状リブ付き弁棒４３は圧縮バネ４５によって閉鎖されたままとなる。水道栓１から流入した原水は継手パイプ９を通って、左の給水口４０ｂに入り、十字状リブに案内されながら、回転弁棒４１の一番左の水路溝４１ｂを介して連結管１５に吐き出され、ろ過カートリッジ８の中で浄化され、浄水用切リ換えスイッチ４７を経て、浄水吐出部５のうち操作レバー３によって選択されたシャワー口４６かストレート口から吐出される。
【００１１】
【発明が解決しようとする課題】
上記した従来の浄水器においては、ろ過カートリッジ８のろ材封入方式としては、カートリッジケース４８に天面仕切板４９及び底面仕切板５１、フェルト５０にて挟み込み粒状の活性炭１９を圧縮させることにより、原水のスルーパスを防止していたが、ブロック形状の成形ろ材を使用する場合に、従来の圧縮封入方式を使用すると、カートリッジケース４８および仕切板に隙間が形成され、スルーパス水路となり、原水が成形ろ材に接触しないで浄水吐出部５よりろ過されていない原水がそのまま吐水されることになり、成形ろ材のろ過性能を効果的に引き出せない。
【００１２】
本発明は上記従来の問題点を解決するもので、比較的簡単な構造で、ブロック形状の成形ろ材を使用する場合、スルーパス水路を防止し、ろ材性能を効果的に引き出すことができる浄水器のろ過カートリッジを提供することを目的とする。
【００１３】
【課題を解決するための手段】
上記目的を達成するために本発明の浄水器のろ過カートリッジは、円柱形状で中心部は中空を有するブロック形状の成形ろ材と、この成形ろ材の両端を接着剤により接着されて封止する前キャップおよび後キャップとを備え、前キャップは成形ろ材の中空部と同一中心軸に位置し円状接着面と直交する円筒管が設けられ、また後キャップには成形ろ材の中空部と同一中心軸に位置し円状接着面と直交する、径の大きい十字ガイドリブとその径の大きい十字ガイドリブの上に連続して形成された径の小さい十字ガイドリブからなる２段の十字ガイドリブが設けられ、かつ前キャップの円筒管内壁に後キャップの前記径の小さい十字ガイドリブが嵌入され、前キャップの円筒管端部に後キャップの前記径の大きい十字ガイドリブの端部が当たり高さ方向の規制をするようにした。
【００１４】
この構成によれば、スルーパス水路を防止し、ろ材性能を効果的に引き出すカートリッジを提供することができる。
【００１５】
【発明の実施の形態】
請求項１記載の発明は、円柱形状で中心部は中空を有するブロック形状の成形ろ材と、この成形ろ材の両端を接着剤により接着されて封止する前キャップおよび後キャップとを備え、前キャップは成形ろ材の中空部と同一中心軸に位置し円状接着面と直交する円筒管が設けられ、また後キャップには成形ろ材の中空部と同一中心軸に位置し円状接着面と直交する、径の大きい十字ガイドリブとその径の大きい十字ガイドリブの上に連続して形成された径の小さい十字ガイドリブからなる２段の十字ガイドリブが設けられ、かつ前キャップの円筒管内壁に後キャップの前記径の小さい十字ガイドリブが嵌入され、前キャップの円筒管端部に後キャップの前記径の大きい十字ガイドリブの端部が当たり高さ方向の規制をするようにした。
【００１６】
この構成によれば、接着剤を例えば熱可塑性樹脂のホットメルトで形成するとともに、前キャップと後キャップはホットメルト接着剤と接着に相性のよいポリプロピレン材、あるいはポリエチレン材により形成することにより、接着剤の厚みが均一な状態になり、安定した接着力でシールされ、スルーパス水路の形成を防止することができる。
【００１７】
請求項２記載の発明は、前記前キャップの円筒管外壁に複数のガイドリブを設け、後キャップの十字ガイドリブとともに成形ろ材の中空部壁をガイドしている。
【００１８】
この構成により、前キャップ及び後キャップ、成形ろ材を同心状に規制することができ、接着剤塗布時に均一に広がり安定した接着面積が確保される。
【００１９】
請求項３記載の発明は、前キャップ及び後キャップの接着部内面には複数の環状リブが設けられ環状リブの先端と根元にはＲを有し、環状リブの幅と高さは１：１の比率とし、その配列に関してはリブの幅と溝の幅は１：１〜１．５の比率で配列している。
【００２０】
この構成により接着面積が広く確保され、接着時のエアーの混入の減少、接着剤の流動性が良好になり、接着力が向上する。
【００２１】
請求項４記載の発明は、カートリッジが浄水吐水口及び原水ストレート吐水口、原水シャワー吐水口と直交した状態で位置している。
【００２２】
この構成により、台所作業時に邪魔にならない。
以下本発明の実施の形態であるろ過カートリッジとそれを用いた浄水器を図面に基づいて詳細に説明する。図１は本発明の一実施の形態における浄水器の外観斜視図、図２（ａ）は同浄水器の縦断面図、図２（ｂ）は同浄水器の吐出口キャップの上面図、図３は同浄水器の横断面図である。なお以下に示す実施の形態において、従来例で説明した浄水器及びろ過カートリッジの部材に対応する部材は同じ符号を付している。
【００２３】
図１において１は水道栓、２は固定ナット、３は操作レバー、４は吐出口キャップ、５は浄水吐出部、６は浄水器の下ケース、７はその上ケース、４８はろ過カートリッジを覆っているカートリッジケースである。この吐出口キャップ４は下ケース６と一体に形成してもよい。９は継手パイプである。操作レバー３が原水のストレート吐出、シャワー吐出を行う位置にあるときは、水は矢印ＡからＦに流れ、浄水の吐出を行う位置にあるときは、矢印ＡからＢ，Ｃ，Ｄ，Ｅと流れる。
【００２４】
次にろ過カートリッジとそれを用いた浄水器の内部の詳細について説明する。図２（ａ），（ｂ）において、４０は切換ケース、４０ａは円筒腔壁、４０ｂは３つの給水口、４１は回転弁棒、４１ａは突起カム、４１ｂは水路溝である。１３はＯリング、４２はフィルタープレート、４２ａは多数のフィルター孔、４３は十字状リブ付き弁棒、４４はＤリングである。また１５は連結管、４５は圧縮バネである。１６は原水ストレート用流入口であり、１７はシャワー用流入口である。３３は浄水路であり、５３は絞りである。
【００２５】
また、８は着脱自在のカートリッジケース４８内に設けられたろ過カートリッジであり、浄水路３３の一部を構成する連結管１５を通って原水が導かれる。浄水路３３の一部を構成する連結管１５には、ろ過カートリッジ８を着脱自在に取り付けることのできる装着部２０が設けられている。５５はろ過カートリッジ８内に設けられた成形ろ材で、その両端を接着剤５８によって前キャップ５６と後キャップ５７にて封止している。原水はろ過カートリッジ８の成形ろ材５５の外周壁より流入し内部を通過して、ここで不純物や残留塩素等が取り除かれ、成形ろ材５５の内周壁より流出し、前キャップ５６の円筒管５６ｂの外壁によって後方へと導かれ、円筒管５６ｂの端部より円筒管５６ｂの内壁へと逆戻しされ、浄水となって浄水路３３に設けられた流量チェッカー２２を経て、浄水吐出部５から吐出される。流量チェッカー２２は、ろ過カートリッジ８から吐出される浄水の吐出圧を受ける受圧体２２ａとその圧力に抗して受圧体を付勢するスプリング等から構成されており、ろ過カートリッジ８が目詰まりして能力が落ちてきたら外部にそれを報知することができる。
【００２６】
図２（ｂ）において、２３は吐出キャップ４に設けられた多数のシャワー孔、２４、２５は多数のシャワー孔２３のうち外周側２列に形成された仕切リブ、２６は分配リングである。仕切リブ２４、２５は分配リング２６とともに整流リブとして機能する。これによって外周に配置されたシャワー孔２３からの噴出流を強めることができ、シャワー孔２３を通しての全体の噴出状態を均一なものにすることができるものである。２７は円形状のストレート吐出口、２８はストレート吐出口２７を形成する円筒部である。このように切換ケース４０のストレート用流入口１６から円筒部が立設されており、円筒部２８を挿入して嵌合させれば、２つの円筒部でストレート用流路が構成されることとなる。２９は分配リング２６と円筒部２８との間に設けられた扇状の平面部からなる分散面部で、切換ケース４０に形成されたシャワー用流入口１７と対向した位置で、かつシャワー吐出口３０側からシャワー用水室内に突出させて設けられている。また、シャワー用流入口１７と接近しており、流入する原水がこれを直撃して、他の部分に流れを分散させる。分散面部２９が高い位置にあるので、流れは切換ケース４０側に大きな循環流を作ることなく満遍なくシャワー孔２３のどれにも回り込み仕切リブ２４、２５に案内されて均一に吐出されるものである。
【００２７】
続いて本発明の要部であるろ過カートリッジについて説明する。図４（ａ）は本発明の一実施の形態におけるろ過カートリッジの縦断面図、図４（ｂ）は同ろ過カートリッジの前キャップの縦断面図、図４（ｃ）は同ろ過カートリッジの前キャップの接着面部の上面図、図４（ｄ）は同ろ過カートリッジの後キャップの縦断面図、図４（ｅ）は同ろ過カートリッジの前キャップの接着面部の上面図、図５は同ろ過カートリッジ内部の水の流れ図をそれぞれ示す。
【００２８】
図４において、８はろ過カートリッジであり、成形ろ材５５、前キャップ５６、後キャップ５７、接着剤５８、Ｏリング１３から形成されている。ろ過カートリッジ８は中心に中空を有する円柱状のブロック形状の成形ろ材５５の両端を前キャップ５６と後キャップ５７が接着剤５８により封止されている。接着剤５８は熱可塑性樹脂のホットメルトであり、成形ろ材５５の端面と前キャップ５６、及び後キャップ５７の封止に用いている。
【００２９】
前キャップ５６は、ホットメルト接着剤５８との接着に相性のよいポリプロピレン材、あるいはポリエチレン材により形成されており、円状の接着面５６ａを有し、それに直交し、同心状であり、両端開口の円筒管５６ｂが設けられて、接着面５６ａの外縁には囲いリブ５６ｃを有し、接着面５６ａの反対面側の円筒管５６ｂ端部には流量チェッカー２２と接続されるため、Ｏリング１３が設けられている。
【００３０】
円筒管５６ｂは、図４（ｂ）、（ｃ）に示すように外壁には複数のガイドリブ５６ｄが成形ろ材５５の中空部壁をガイドし、接着面５６ａと成形ろ材５５の中心軸を同心状に規制し接着剤５８の接着性を向上させるために設けられている。接着面５６ａは、図４（ｂ）、（ｃ）が示すように複数の環状リブ５６ｅが設けられ、その先端と根元にはＲを有し、その幅と高さは１：１の比率とし、その配列において、リブ幅と溝幅は１：１〜１．５の比率で配列していることにより、接着面積が広く確保され、接着時のエアーの混入の減少、接着剤の流動性が良好になり、接着性が向上する。
【００３１】
囲いリブ５６ｃは、図４（ｂ）、（ｃ）が示すように複数の環状リブ５６ｅより高いリブで形成され、接着剤５８の外周面よりの漏れ、はみ出しを防止する。後キャップ５７は、ホットメルト接着剤５８との接着に相性のよいポリプロピレン材、あるいはポリエチレン材により形成されており、円状の接着面５７ａを有し、それに直交し、同一中心軸となる径の大きい十字ガイドリブ５７ｃとその径の大きい十字ガイドリブ５７ｃの上に連続して形成された径の小さい十字ガイドリブ５７ｂからなる２段の十字ガイドリブが設けられ、接着面５７ａの外縁には囲いリブ５７eが設けられている。
【００３２】
径の小さい十字ガイドリブ５７ｂは、図４（ｄ）、（ｅ）が示すように前キャップ５６の円筒管５６ｂ内壁に嵌入されることにより前キャップ５６と後キャップ５７を同一中心軸に規制し接着剤５８の接着性を向上させるために設けられている。
【００３３】
径の大きい十字ガイドリブ５７ｃは、図４（ｄ）、（ｅ）が示すように成形ろ材５５の中空部壁をガイドし、接着面５７ａと成形ろ材５５の中心軸を同心状に規制され、前キャップ５６の円筒管の端面に当てることにより前キャップ５６と後キャップ５７の高さ方向の規制をすることにより、接着剤の厚みが均一な状態になり、安定した接着性を保つために設けられている。
【００３４】
接着面５７ａは、図４（ｄ）、（ｅ）が示すように複数の環状リブ５７ｄが設けられ、その先端と根元にはＲを有し、その幅と高さは１：１の比率とし、その配列において、リブ幅と溝幅は１：１〜１．５の比率で配列していることにより、接着面積が広く確保され、接着時のエアーの混入の減少、接着剤の流動性が良好になり、接着性が向上する。
【００３５】
囲いリブ５７ｅは、図４（ｄ）、（ｅ）が示すように複数の環状リブ５７ｄより高いリブで形成され、接着剤５８の外周面よりの漏れ、はみ出しを防止する。ろ過カートリッジ８は、浄水吐出部５および原水ストレート吐出口２７、原水シャワー吐出口３０と直交した状態で位置されていることにより、台所作業時に邪魔にならない。
【００３６】
そこで、図５を参照して、ろ過カートリッジ内部の水の流れを説明すると浄水路３３に装着されている絞り５３から水道水原水が流入して成形ろ材５５の外周壁より水道水原水が流入し成形ろ材５５の内部を通過し、ここで不純物や残留塩素等の物質が除去され、成形ろ材５５の内周壁より浄水が流出し、前キャップ５６の円筒管５６ｂの外壁によって後方へと導かれ、前キャップ５６の円筒管５６ｂの内壁に嵌入された後キャップ５７の十字ガイドリブ５７ｃの隙間より、浄水が円筒管５６ｂの内壁側に流入され、浄水路１８に設けられた流量チェッカーを経て、浄水吐出部５から吐水される。水の流れは矢印ＡよりＢ、Ｃ、Ｄ、Ｅとなる。
【００３７】
このように本発明の実施の形態のろ過カートリッジによれば、原水が成形ろ材に接触することなく、原水がそのままろ過されずに吐水されてしまうスルーパス水路を防止し、ろ材性能を効果的に引き出すろ過カートリッジとすることができる。
【００３８】
続いてこの浄水器を用いる場合の動作について説明する。従来例で説明したことと同様であるから、これに関する詳細な説明は省略する。原水をストレート吐水させたいときは操作レバー３を回動して中央の十字状リブ付き弁棒４３を突起カム４１ａで持ち上げ、回転弁棒４１の外周の水路溝４１ｂ、ストレート用流路を介し、ストレート吐出口２７から吐出する。また原水をシャワー吐出させたいときは、操作レバー３を回動して右の十字状リブ付き弁棒４３を突起カム４１ａで持ち上げ、一番右の水路溝４１ｂ、シャワー用流入口１７、シャワー用水室３１を介してシャワー吐出口３０のシャワー孔２３から吐出する。さらに浄水を吐出させたいときには、一番左の十字状リブ付き弁棒４３を突起カム４１ａで持ち上げ、回転弁棒４１の一番左の水路溝４１ｂ、連結管１５、ろ過カートリッジ８の中の成形ろ材５２を通過し流量チェッカー２２で流量をチェックした後、浄水吐出部５から吐水するものである。
【００３９】
このように本発明の実施の形態の浄水器は供給された原水をストレート用流路、シャワー用水室および浄水路のどれかに選択的に接続する水スイッチと、浄水路に装着されるろ過カートリッジ８からの浄水を吐出する浄水吐出部を備えた浄水器であるから、原水をそのまま吐出するか、シャワーとするか、あるいは浄水とするかを水スイッチによって簡単に切り換えられるし、浄水器をコンパクトにすることができるものである。
【００４０】
【発明の効果】
このように本発明のろ過カートリッジは原水が成形ろ材に接触することなく、原水がそのままろ過されずに吐水されてしまうスルーパス水路を防止し、ろ材性能を効果的に引き出すことができるものである。
【００４１】
また本発明の浄水器は、小型、軽量で水道栓に直結することができ、原水をそのまま吐出するか、シャワーとするか、あるいはろ過水とするかを簡単に切り換えることができるものである。
【図面の簡単な説明】
【図１】本発明の一実施の形態における浄水器の外観斜視図
【図２】（ａ）本発明の一実施の形態における浄水器の縦断面図
（ｂ）本発明の一実施の形態における浄水器の吐出口キャップの上面図
【図３】本発明の一実施の形態における浄水器の横断面図
【図４】（ａ）本発明の一実施の形態におけるろ過カートリッジの縦断面図
（ｂ）本発明の一実施の形態におけるろ過カートリッジの前キャップの縦断面図
（ｃ）本発明の一実施の形態におけるろ過カートリッジの前キャップの接着面部の上面図
（ｄ）本発明の一実施の形態におけるろ過カートリッジの後キャップの縦断面図
（ｅ）本発明の一実施の形態におけるろ過カートリッジの後キャップの接着面部の上面図
【図５】本発明の一実施の形態におけるろ過カートリッジ内部の水の流れ図
【図６】従来の浄水器の外観斜視図
【図７】従来の浄水器の縦断面図
【図８】従来の浄水器の横断面図
【符号の説明】
１  水道栓
２  固定ナット
３  操作レバー
４  吐出口キャップ
５  浄水吐出部
６  下ケース
７  上ケース
８  ろ過カートリッジ
９  継手パイプ
１３  Ｏリング
１５  連結管
１６  ストレート用流入口
１７  シャワー用流入口
１９  活性炭層
２０  装着部
２１  中空糸膜
２２  流量チェッカー
２２ａ  受圧体
２３  シャワー孔
２４  仕切リブ
２５  仕切リブ
２６  分配リング
２７  ストレート吐出口
２８  円筒部
２９  分散面部
３０  シャワー吐出口
３３  浄水路
４０  切換ケース
４０ａ  円筒腔壁
４０ｂ  給水口
４１  回転弁棒
４１ａ  突起カム
４１ｂ  水路溝
４２  フィルタープレート
４２ａ  フィルター孔
４３  十字状リブ付き弁棒
４４  Ｄリング
４５  圧縮バネ
４６  シャワー口
４７  浄水用切り換えスイッチ
４８  カートリッジケース
４９  天面仕切板
５０  フェルト
５１  底面仕切板
５３  絞り
５５  成形ろ材
５６  前キャップ
５６ａ  接着面
５６ｂ  円筒管
５６ｃ  囲いリブ
５６ｅ  環状リブ
５７  後キャップ
５７ａ  接着面
５７ｂ  十字ガイドリブ
５７ｃ  十字ガイドリブ
５７ｄ  環状リブ
５７ｅ  囲いリブ
５８  接着剤
【図１】
0003775027.tif 000002
【図２】
0003775027.tif 000003
【図３】
0003775027.tif 000004
【図４】
0003775027.tif 000005
【図５】
0003775027.tif 000006
【図６】
0003775027.tif 000007
【図７】
0003775027.tif 000008
【図８】
0003775027.tif 000009